(57)【要約】【課題】帯状の光透過部に印刷ずれが生じても、外観品質を確保することができるメータ装置を提供すること。【解決手段】文字板の表面に、光透過性を有した帯状表示部１１３が設けられ、帯状表示部１１３に文字板の裏面から照明を当てて発光させるようにしたメータ装置であって、文字板本体１１４に、裏面１１４ｂ方向に凹んだリング状溝部１１７を形成し、このリング状溝部１１７内に、帯状表示部１１３を設け、かつ、帯状表示部１１３の幅方向両端縁１１３ａ，１１３ｂを、リング状溝部１１７の溝底面１１７ａから立ち上げられた縦壁部１１７ｂ，１１７ｃの途中に配置した。【選択図】図１
2008076177.tif 000002
【特許請求の範囲】
【請求項１】
文字板に、光透過性を有した帯状の光透過部が設けられ、この光透過部に前記文字板の裏面から照明を当てて発光させるようにしたメータ装置であって、
前記文字板の、前記帯状の光透過部を含む周辺部分に、裏面方向に凹んだ溝部が形成され、
この溝部内に、前記帯状の光透過部が配置され、かつ、前記光透過部の幅方向の少なくとも一方の端縁が、前記溝部の底部から立ち上げられた縦壁部の途中に配置されていることを特徴とするメータ装置。
【請求項２】
前記溝部ならびに帯状の光透過部が、メータ正面から視て曲線状または直線状に形成され、
前記溝部の幅方向の一方の端縁に沿って、メータ外周を形成する外枠部材が設けられ、
前記光透過部の幅方向のもう一方の端縁が、前記縦壁部の途中に配置され、
前記光透過部の幅方向の前記一方の端縁が、メータ正面から視てこの光透過部の幅方向の一端縁よりも内側に張り出して配置された前記外枠部材の端縁に覆われていることを特徴とする請求項１に記載のメータ装置。
【請求項３】
前記溝部の前記縦壁部が、０〜４５度の範囲内で形成されていることを特徴とする請求項１または請求項２に記載のメータ装置。
【請求項４】
前記縦壁部が、５〜１５度の範囲内で傾斜されていることを特徴とする請求項３に記載のメータ装置。
【請求項５】
前記帯状の光透過部と、これに隣り合う遮光部との少なくとも一方が、印刷により着色されており、
前記溝部の開口幅が、前記光透過部と遮光部との境界の想定される印刷ずれの範囲よりも広く形成されていることを特徴とする請求項１〜請求項４のいずれか１項に記載のメータ装置。
【発明の詳細な説明】
【技術分野】
【０００１】
本発明は、自動車などに用いられるメータ装置に関し、特に、透光性を有した帯状の光透過部を文字板に設けたものに関する。
【背景技術】
【０００２】
従来、文字板の表面に、光透過性を有した光透過層を形成し、裏面から照明を当てて、夜間などに文字や目盛を発光させるようにしたメータ装置が知られている（例えば、特許文献１参照）。
【０００３】
また、このような光透過層は、光透過層を形成する部分に光透過性を有した白色塗料などを印刷し、さらに、光透過層以外の部分に遮光性を有した、例えば、黒色塗料を印刷して形成したものが知られている。
【特許文献１】特開２００１−２０８５７１号公報
【発明の開示】
【発明が解決しようとする課題】
【０００４】
しかしながら、上述の光透過部を印刷により形成するため、印刷後、絞り加工などにより、印刷ずれが生じ、本来遮光部分となるはずの所に、光透過層が位置した場合、光漏れとなり、外観品質を悪化させる恐れがあった。
【０００５】
例えば、メータの目盛部分の外周部分を、円形で帯状の光透過層により加飾する場合、この光透過層の円弧の中心と、メータ外周の円弧中心とがずれると、このメータ外周と帯状の光透過層との間隔が場所によって異なることとなり、目視により両者のずれが目立ち外観品質が悪化するという問題点があった。
【０００６】
本発明は、上述のような従来の問題に着目して成されたもので、帯状の光透過層に印刷ずれが生じても、外観品質を確保することができるメータ装置を提供することを目的とする。
【課題を解決するための手段】
【０００７】
上述の目的を達成するため請求項１に記載の発明は、文字板に、光透過性を有した帯状の光透過部が設けられ、この光透過部に前記文字板の裏面から照明を当てて発光させるようにしたメータ装置であって、前記文字板の、前記帯状の光透過部を含む周辺部分に、裏面方向に凹んだ溝部が形成され、この溝部内に、前記帯状の光透過部が配置され、かつ、前記光透過部の幅方向の少なくとも一方の端縁が、前記溝部の底部から立ち上げられた縦壁部の途中に配置されていることを特徴とするメータ装置とした。
【０００８】
請求項２に記載の発明は、請求項１に記載のメータ装置において、前記溝部ならびに帯状の光透過部が、メータ正面から視て曲線状または直線状に形成され、前記溝部の幅方向の一方の端縁に沿って、メータ外周を形成する外枠部材が設けられ、前記光透過部の幅方向のもう一方の端縁が、前記縦壁部の途中に配置され、前記光透過部の幅方向の前記一方の端縁が、メータ正面から視てこの光透過部の幅方向の一端縁よりも内側に張り出して配置された前記外枠部材の端縁に覆われていることを特徴とするメータ装置とした。
【０００９】
請求項３に記載の発明は、請求項１または請求項２に記載のメータ装置において、前記溝部の前記縦壁部が、０〜４５度の範囲内で形成されていることを特徴とするメータ装置とした。
【００１０】
請求項４に記載の発明は、請求項３に記載のメータ装置において、前記縦壁部が、５〜１５度の範囲内で傾斜されていることを特徴とするメータ装置とした。
【００１１】
請求項５に記載の発明は、請求項１〜請求項４のいずれか１項に記載のメータ装置において、前記帯状の光透過部と、これに隣り合う遮光部との少なくとも一方が、印刷により着色されており、前記溝部の開口幅が、前記光透過部と遮光部との境界の想定される印刷ずれの範囲よりも広く形成されていることを特徴とするメータ装置とした。
【発明の効果】
【００１２】
本発明のメータ装置では、帯状の光透過層を、溝部内に設け、さらに、帯状の光透過部の幅方向の端縁を、溝部の縦壁部の途中に配置させている。
【００１３】
このため、帯状の光透過部を形成するにあたり印刷ずれが幅方向に生じた場合、この幅方向のずれによる光透過部の端縁のずれが、溝部内の縦壁部にあっては、高さ方向に生じる。
【００１４】
したがって、メータ装置を文字板の表面側であるメータ正面側から見た場合に、帯状の光透過部の幅方向のずれが、溝部の縦壁部における目視で前後方向のずれとなり、見た目の帯状の光透過部の幅方向のずれ成分が小さくなる。
【００１５】
よって、光透過部の幅方向の印刷ずれが、文字板の表面にそのまま幅方向に生じる場合と比較して、ずれが目立たなくなって外観品質が悪化するのを防止することができる。
【００１６】
請求項２に記載の発明では、帯状の光透過部の一方の一端縁に沿って設けられた外枠部材の端縁が、溝部の端縁よりも内側に張り出して配置されているため、メータ装置を正面から見た場合、帯状の光透過部の一方の端縁が、外枠部材の端縁で切り取られて見える。
【００１７】
したがって、帯状の光透過部の印刷時に幅方向にずれが生じた場合に、帯状の光透過部の幅方向の一方の端縁の印刷ずれは、外枠部材に隠されて、メータ正面側に現れることが無い。また、幅方向のもう一方の光透過部の端縁の印刷ずれは、上述のようにメータ正面側からは縦壁部における前後方向のずれとして現れて、目立たない。
【００１８】
よって、帯状の光透過部の幅方向端縁のずれが溝部の両縦壁部に現れるのと比較して、いっそう印刷ずれが目立たなくなり、外観品質を向上させることができる。しかも、この効果が外枠部材を利用して得られるため、新規に目隠し部材を設定するのに比べて、部品点数を抑えることができる。
【００１９】
請求項３に記載の発明では、縦壁部の傾斜角度を４５度よりも小さくしているため、帯状の光透過部の幅方向のずれが、縦壁部の延在方向のずれ量よりもメータ正面からの見た目のずれ量の方が小さくなり、上記効果を確実に得ることができる。具体的には、縦壁部の傾斜角度が４５度の場合、縦壁部における印刷ずれ量：見た目の印刷ずれ量が、√２：１となる。
【００２０】
また、縦壁部の傾斜角度を０度よりも大きな角度としていることで、溝部の成形時の型抜きを確実に行うことができる。
【００２１】
請求項４に記載の発明では、縦壁部の傾斜角度を５〜１５度の範囲としたため、上記請求項３に記載の発明の効果がより顕著に得ることができる。
【００２２】
請求項５に記載の発明では、帯状の光透過部の印刷ずれが想定範囲内であれば、光透過層の端縁が溝部の縦壁部に配置され、上述の外観品質が向上する効果を確実に得ることができる。
【発明を実施するための最良の形態】
【００２３】
以下、本発明の実施の形態を図面に基づいて説明する。
【００２４】
この実施の形態のメータ装置は、文字板（１１）に、光透過性を有した帯状の光透過部（１１３）が設けられ、この光透過部（１１３）に前記文字板（１１）の裏面から照明を当てて発光させるようにしたメータ装置であって、前記文字板（１１）の、前記帯状の光透過部を含む周辺部分に、裏面方向に凹んだ溝部が形成され、この溝部内に、前記帯状の光透過部が配置され、かつ、前記光透過部（１１３）の幅方向の少なくとも一方の端縁（１１３ａ，１１３ｂ）が、前記溝部（１１７）の底部（１１７ａ）から立ち上げられた縦壁部（１１７ｂ，１１７ｃ）の途中に配置されていることを特徴とするメータ装置である。
【実施例１】
【００２５】
以下に、図１〜図５に基づいて、この発明の最良の実施の形態の実施例１のメータ装置について説明する。
【００２６】
この実施例１のメータ装置Ａは、図外の自動車のインストルメントパネルに設けられたメータクラスタ内に設けられ、図３に示すように、スピードメータ１、エンジン回転数メータ２、燃料メータ３、水温メータ４を備えたコンビネーションメータＣＭに適用されている。
【００２７】
この実施例１のメータ装置Ａは、各メータ１，２，３，４に適用されているが、このうちのスピードメータ１を代表として説明する。
【００２８】
このスピードメータ１は、文字板１１と、この文字板１１の外周を囲むリング部材（外枠部材）１２と、を備えている。
【００２９】
文字板１１は、速度を示す数字が表示された文字表示部１１１と、この文字表示部１１１の外周に形成されて目盛が表示された目盛表示部１１２と、この目盛表示部１１２の外周に細い帯状に形成され、リング部材１２の内周部分に沿って円形に形成された帯状表示部（帯状の光透過部）１１３と、が形成されている。
【００３０】
目盛表示部１１２の目盛は、図４の拡大図に示すように、大表示部１１２ａ、中表示部１１２ｂ、小表示部１１２ｃの複数種類の長さおよび太さの異なる表示線を有している。
【００３１】
大表示部１１２ａは、文字表示部１１１の数字に対応して２０ｋｍ／ｈ刻みで形成されており、かつ、スピードメータ１の外周方向端部が帯状表示部１１３に連続して形成されている。
【００３２】
中表示部１１２ｂは、大表示部１１２ａと大表示部１１２ａとの周方向中間位置で帯状表示部１１３から内径方向に離れて設置され、文字表示部１１１の数字で表示されない速度を表示している。
【００３３】
小表示部１１２ｃは、大表示部１１２ａと中表示部１１２ｂとの周方向中間位置で帯状表示部１１３から内径方向に離れて設置され、両者１１２ａ，１１２ｂの中間値を表示している。
【００３４】
文字表示部１１１と目盛表示部１１２と帯状表示部１１３とは、ポリカーボネート樹脂などの透明樹脂材料で形成された文字板本体１１４（図１参照）に、白色などの光透過性の塗料を印刷して形成されている。また、これらの表示部１１１，１１２，１１３を除く部分は、遮光性を有した黒色などの塗料を印刷した遮光部１１５（図２参照）が形成されている。
【００３５】
なお、各表示部１１１，１１２，１１３と遮光部１１５とは、それぞれ並列に印刷してもよいが、本実施例１では、文字板本体１１４の表面１１４ａの全面に各表示部１１１，１１２，１１３を形成する光透過性の塗料を印刷しておいて、その後、各表示部１１１，１１２，１１３を除く部分に遮光部１１５を形成する塗料を印刷したものとする（図２参照）。
【００３６】
文字板本体１１４は、図１の断面図に示すように、文字表示部１１１と目盛表示部１１２との間に折曲部１１６が形成されており、文字表示部１１１は、文字板１１の中央（矢印ＣＥ方向）に向かって下がる方向に傾斜され、一方、目盛表示部１１２は、文字板１の外周方向（矢印ＯＵＴ方向）に下がる方向に傾斜されている。
【００３７】
さらに、文字板本体１１４において、帯状表示部１１３が配置されている部分には、リング状溝部１１７が形成されている。
【００３８】
このリング状溝部１１７は、真空引き成形により形成されたもので、図示のように文字板本体１１４の表面１１４ａを裏面１１４ｂ側に略Ｕ字断面状に凹んだ形状に形成されており、かつ、リング部材１２の内周全周に沿って半径５ｃｍほどの円形のリング状に形成されている。
【００３９】
また、このリング状溝部１１７は、図２に拡大して示しているように、湾曲状の溝底部１１７ａと、この溝底部１１７ａから文字板本体１１４の表面１１４ａに向かって立ち上げられた縦壁部１１７ｂ，１１７ｃと、を備えている。
【００４０】
なお、本実施例１では、図１に示すリング状溝部１１７の開口幅Ｌ１が１ｍｍほど、深さＤが１ｍｍほど、溝底部１１７ａの幅Ｌ２が０．５ｍｍほどの寸法に形成されている。また、図２に示す縦壁部１１７ｂの傾斜角度θが、５度ほどの角度に形成されている。
【００４１】
帯状表示部１１３は、リング状溝部１１７内に設けられており、かつ、帯状表示部１１３の内周端縁１１３ａと外周端縁１１３ｂとが、図２に示すように、それぞれ縦壁部１１７ｂ，１１７ｃに配置される幅寸法に形成されている。
【００４２】
リング部材１２は、図３に示すように、メータ正面から視てスピードメータ１の全周を囲む円形のリング状に形成されており、図１に示すように、底面１２ａ、内周壁１２ｂ、外周壁１２ｃ、上面１２ｄに囲まれた略台形断面に形成されている。 なお、本実施例１では、底面１２ａの幅Ｌ３が４ｍｍほどに、高さＨが４．５ｍｍほどに形成されている。
【００４３】
また、リング部材１２は、底面１２ａにおいて円周方向で複数箇所に形成された係合爪部材１２ｆを、文字板本体１１４に開口された係合穴１１４ｃに差し込むことで、底面１２ａを文字板本体１１４の表面１１４ａ（正確には、図２に示すように、表面１１４ａの遮光部１１５を形成する塗料）に当接させた状態で取り付けられている。なお、係合爪部材１２ｆは、図５に示すように、それぞれ一体に形成されている。
【００４４】
さらに、リング部材１２は、内周縁１２ｅが、リング状溝部１１７の外周から内側に張り出されて配置されている。 本実施例１では、この張出代Ｌ４が、図１において縦壁部１１７ｂと上下方向で重なる寸法に形成されている。
【００４５】
また、文字板１１の裏側には、光源１８の光を導く導光板１９が設けられており、光源１８の点灯時には、各表示部１１１，１１２，１１３を発光させるようになっている。
【００４６】
次に、実施例１の作用について説明する。
【００４７】
本実施例１では、リング状溝部１１７の外周縁部から、リング部材１２の内周縁１２ｅを張り出させているため、スピードメータ１を文字板１１の表面側であるメータ正面から（矢印ＬＫ方向から）見たときに、帯状表示部１１３の見た目の幅ＭＬは、図１および図２に示すように、リング部材１２の内周縁１２ｅと、帯状表示部１１３の内周端縁１１３ａとの間隔となる。
【００４８】
このため、帯状表示部１１３を表示板本体１１４に印刷により形成するにあたり印刷ずれが幅方向（図１の矢印ＣＥ，ＯＵＴ方向）に生じても、外周端縁１１３ｂにおけるずれは、リング部材１２に隠されてメータ正面から見えることが無く、印刷ずれが目立たず、外観品質に優れる。
【００４９】
しかも、帯状表示部１１３の内周端縁１１３ａにおける印刷ずれも、下記の理由によりメータ正面から分かりにくく、上記のリング部材１２により外周端縁１１３ｂが隠されることによる外観品質向上と相まって、いっそう印刷ずれが目立たず、外観品質に優れる。
【００５０】
ここで、帯状表示部１１３の内周端縁１１３ａの印刷ずれが目立たない理由について説明を加えると、帯状表示部１１３の内周端縁１１３ａに幅方向（矢印ＣＥ，ＯＵＴ方向）に印刷ずれが生じた場合、リング状溝部１１７内の縦壁部１１７ｂ，１１７ｃにあっては高さ方向の印刷ずれとなる。
【００５１】
そこで、メータ正面から見た場合に、帯状表示部１１３の幅方向の印刷ずれが、リング状溝部１１７の縦壁部１１７ｂ，１１７ｃにおける前後方向の印刷ずれとなり、印刷ずれが生じても、見た目にわかりにくくなり、外観品質を向上させることができる。
【００５２】
具体的には、本実施例１では、帯状表示部１１３における、想定される幅方向の印刷ずれ量は、コンマ数ｍｍとなっている。そこで、正規の位置を縦壁部１１７ｂ，１１７ｃの上下方向中央に設定すると、このコンマ数ｍｍの印刷ずれが生じても、帯状表示部１１３の両端縁１１３ａ，１１３ｂは、縦壁部１１７ｂ，１１７ｃの範囲内に配置される。
【００５３】
一方、縦壁部１１７ｂ，１１７ｃをスピードメータ１の正面から見た際の幅Ｌ５は、０．１８ｍｍ程度の寸法となっており、見た目の印刷ずれは、最大でもこの幅Ｌ５の範囲内に収まることになり、実際のずれ量よりも小さなずれ量となる。このように、実際の印刷ずれに対して、見た目の印刷ずれが小さくなり、この印刷ずれが見た目に分かりにくくなる。
【００５４】
また、この効果は、縦壁部１１７ｂ，１１７ｃの傾斜角度θが小さいほど顕著に得られるもので、本実施例１では、縦壁部１１７ｂ，１１７ｃの傾斜角度θを５度としているため、上記見た目の印刷ずれを小さくする効果を顕著に得ることができ、かつ、リング状溝部１１７の成形時の型抜きも確実に行うことができる。なお、実施例１においては、傾斜角度θを５度にしているが、０〜４５度の範囲の値なら任意の値でよい。しかし、実際的には、５〜１５度が実用の範囲である。
【００５５】
特に、本実施例１では、帯状表示部１１３がリング状に形成されており、しかも、帯状表示部１１３の内外には、折曲部１１６による円と、リング部材１２による円が存在している。このため、帯状表示部１１３の円の中心が、これら内外の円の中心とずれて印刷されてしまうと、帯状表示部１１３の内周端縁１１３ａとリング部材１２の内周縁１２ｅとの間隔が場所により異なり、リング部材１２を設置しない場合と比べて、印刷ずれが目立つことになる。
【００５６】
それに対して、本実施例１では、上述のように、帯状表示部１１３の外周端縁１１３ｂの幅方向の印刷ずれは、メータ正面から見えることが無く、また、内周端縁１１３ａの幅方向の印刷ずれも、上述のように縦壁部１１７ｂにおける前後方向のずれとなって、メータ正面からはわかりにくくなるため、帯状表示部１１３の内外に円形状が存在していても、印刷ずれが分かりにくい。
【００５７】
しかも、この効果が外枠部材を利用して得られるため、新規に目隠し部材を設定するのに比べて、部品点数を抑えることができる。
【００５８】
以上、図面を参照して、本発明の実施の形態および実施例１を詳述してきたが、具体的な構成は、この実施の形態および実施例１に限らず、本発明の要旨を逸脱しない程度の設計的変更は、本発明に含まれる。
【００５９】
例えば、実施例１では、帯状の光透過部として円形リング状の帯状表示部１１３を示したが、この帯状の光透過部は、帯状であれば、曲線状や直線状およびこれらの組み合わせのいかなる形状であってもよい。すなわち、実施例１のように、円形のリング状に限定されるものではなく、楕円や四角などの円形以外の形状のリング状であってもよいし、あるいは、リング状以外の直線状や半円状などの他の形状であっても、所望の作用効果を得ることができる。
【００６０】
同様に、外枠部材も帯状の光透過層に沿って配置されていれば、実施例１で示したリング状のもの（リング部材１２）に限定されるものではない。
【００６１】
また、上記実施例１においては、光透過部（帯状表示部１１３）を、光透過性の塗料を印刷して形成した例を示したが、この光透過部は、何の塗料も印刷しない透明部分に形成してもよい。また、リング状溝部１１７は、必ずしも円である必要は無く、任意の曲線又は直線のみ又は曲線と直線の組み合わせであっても良い。
【００６２】
また、実施例１では、溝部として略Ｕ字断面形状のリング状溝部１１７を示したが、その断面形状は、実施例で示したように略Ｕ字形状の他にも略凹形状やＶ字状など、他の形状であってもよく、要は、幅方向両側に縦壁部を有していればよい。
【００６３】
また、実施例１では、溝部としてのリング状溝部１１７の外周縁よりも外枠部材としてのリング部材１２の内周縁１２ｅを張り出させて、帯状光透過層としての帯状状表示部１１３の外周端縁１１３ｂの幅方向のずれがメータ正面から見えないようにした。こうしたことで、印刷ずれが目立たないようにする効果をより顕著に得られるようになったが、このような外枠部材を設けなくても。所期の外観品質を向上できる効果は得られる。
【００６４】
すなわち、帯状状表示部１１３は、その両端縁１１３ａ，１１３ｂが、縦壁部１１７ｂ，１１７ｃの途中に配置されていれば、メータ正面から見た場合の見た目のずれ量を、実際のずれ量よりも小さくできる。よって、両端縁１１３ａ，１１３ｂがメータ正面から見えていても、文字板１１の平らな部分に帯状表示部を設けるのに比べて、印刷ずれを分かりにくくする効果を奏する。
【図面の簡単な説明】
【００６５】
【図１】本発明の最良の実施の形態の実施例１のメータ装置Ａを示す断面図であって、図３のＳ１−Ｓ１線で切った状態を示している。
【図２】図１の要部を拡大した断面図である。
【図３】本発明の実施の形態の実施例１のメータ装置Ａを適用したコンビネーションメータＣＭを示す正面図である。
【図４】図３の要部を拡大した正面図である。
【図５】本発明の実施の形態の実施例１のメータ装置Ａの要部を示す斜視図である。
【符号の説明】
【００６６】
１     スピードメータ
１１   文字板
１２   リング部材（外枠部材）
１２ｅ 内周縁
１１３ 帯状状表示部（帯状の光透過部）
１１３ａ      内周端縁
１１３ｂ      外周端縁
１１４ 文字板本体
１１７ リング状溝部（溝部）
１１７ａ      溝底部
１１７ｂ      縦壁部
１１７ｃ      縦壁部
ＣＭ   コンビネーションメータ
Ｌ４   張出代
θ     傾斜角度
【図１】
2008076177.tif 000003
【図２】
2008076177.tif 000004
【図３】
2008076177.tif 000005
【図４】
2008076177.tif 000006
【図５】
2008076177.tif 000007